(57)【特許請求の範囲】
【請求項１】
封筒本体に郵送する内容物を差し入れるための開口部を備えると共に該開口部の位置で折り曲げて封筒本体を封緘するための封緘片を備えた往復封筒であって、
前記封筒本体には、その表表面に少なくとも往信用切手貼付領域と往信用受取人宛名書領域とを設けると共に、裏表面には少なくとも返信用切手貼付領域と返信用受取人宛名書領域とを設け、
且つ前記封緘片と封筒本体の裏表面とを接着するための糊シロ領域を、裏表面の開口部近傍の空白領域、若しくは該空白領域に対応する封緘片の空白領域、若しくはその両方の空白領域に構成し、よって前記糊シロ領域から外れた封緘片の末端側の部分を、裏表面から表表面への再折返しを行う返信用封緘片として構成することを特徴とする往復封筒。
【請求項２】
封緘片は、封筒本体の表表面に開口部に延長して設けると共に、その封緘片の延長長さを、該封緘片が裏表面側に折り曲げられた際に、少なくとも返信用切手貼付領域の一部を覆うことができる長さとしてあることを特徴とする請求項１に記載の往復封筒。
【請求項３】
封筒本体の開口部若しくはそれより上の位置に封緘片の折曲線を設け、該折曲線を挟む両側若しくは片側の近傍に、前記糊シロ領域で封緘される封筒本体を開封する位置を示す封切線表示を設けてあることを特徴とする請求項１又は２に記載の往復封筒。
【請求項４】
往信用と返信用の各切手貼付領域は、その領域を枠で囲って表示する切手貼付枠表示として、封筒本体の表表面及び裏表面の開口部に近い上部の肩部に設けていることを特徴とする請求項１〜３の何れかに記載の往復封筒。
【請求項５】
郵便番号枠表示を、封筒本体の表表面及び裏表面の開口部に近い上部の切手貼付領域の側方に設けていることを特徴とする請求項１〜４の何れかに記載の往復封筒。
【請求項６】
切手貼付領域は、代わりに切手と同等の料金要件を満たす郵便マークを表示する郵便マーク表示領域であることを特徴とする請求項１〜５の何れかに記載の往復封筒。
【請求項７】
封緘片の裏表面の前記糊シロ領域から外れた末端側の部分は、少なくともその一部が、封筒本体の裏表面と剥離可能で且つ再接着不能に仮接着されるように構成されていることを特徴とする請求項１〜６の何れかに記載の往復封筒。
【発明の詳細な説明】
【技術分野】
【０００１】
本発明は往信と返信ができる往復封筒に関する。
【背景技術】
【０００２】
従来より、往復葉書は一般に使用されているが、往復封筒はあまり一般的には使用されていない。
特開平１０−１１９９７５号公報（特許文献１）には、往信用封緘片（４）と返信用封緘片（３）との２枚の封緘片を設けた、往復封筒が開示されている。
再表２００３／０５５７５９号（特許文献２）には、舌片（５）の封緘が開封に際して解かれるようにすると共に、舌片（５）に往信用の宛名を書き、その舌片（５）により隠れる位置に返信用の宛名を書くようにした、封筒の同じ一面側を用いて往信用宛名と返信用宛名とを表示するようにした往復封筒が開示されている。
特開２０１０−１３２３１３号公報（特許文献３）にも、フラップ（２２、２３）の裏に返信用宛名を書くようにすると共に、封筒の同じ一面側を用いて往信用宛名と返信用宛名とを表示するようにした往復封筒が開示されている。
特開平１１−４９１７８号公報（特許文献４）には、封筒の一面側に往信用の宛名を書くシートを剥がせるようにして封筒表面に貼り付けておき、開封後にそのシートを剥がすことで返信用の封筒とする往復封筒の製袋方法、及び封緘方法が開示されている。
実用新案登録第３１２３４６８号公報（特許文献５）には、封筒の表面を透明とし、封緘紙に往信の際の封緘用のりしろ４と返信用の封緘用糊シロ６を２筋設け、封筒の同じ一面側を用いて往信用宛名と返信用宛名とを表示するようにした往復封筒が開示されている。
実用新案登録第３０４４３９７号公報（特許文献６）には、封筒の表表面に往信用宛名を書き、裏表面に返信用の宛名を書くようにした往復封筒が開示されている。
【先行技術文献】
【特許文献】
【０００３】
【特許文献１】特開平１０−１１９９７５号公報
【特許文献２】再表２００３−０５５７５９号
【特許文献３】特開２０１０−１３２３１３公報
【特許文献４】特開平１１−４９１７８号公報
【特許文献５】実用新案登録第３１２３４６８号公報
【特許文献６】実用新案登録第３０４４３９７号公報
【発明の概要】
【発明が解決しようとする課題】
【０００４】
上記特許文献１は、封緘片（３、４）が２片必要となる往復封筒であるので、封筒作成が容易ではないという問題がある。
上記特許文献２は、封筒の舌片（５）に往信用の宛名を書かねばならないなど、記載スペースが十分に取れない問題がある。或いは舌片（５）をかなり大きくする必要がある。また封筒の同じ面が往信用と返信用とに使われるので、差出人の住所や氏名を書いて表示する際に、往信差出人と返信差出人との区別をつけるのに問題を生じやすく、また往信差出人と返信差出人の表示スペースを混同しないように設ける必要があるなどの問題が生じる欠点がある。
上記特許文献３の場合も同様に、封筒本体（２１）の同じ面を用いて往信先表示と返信先表示をする方式であることから、封筒本体（２１）に透明窓（４）を設ける必要があり、また返信先表示や切手用のスペースを返信フラップ（２３）に設ける必要があることから、フラップ（２３）をかなり大きくする必要がある。また往信差出人及び返信差出人の記載のスペースの確保と混同防止がうまくできないという問題がある。
上記特許文献４の場合は、往信用の閉封蓋（６）用のシートをもう１葉追加しなければならない他、シートを剥がせるように糊付けしなければならない問題がある。
上記特許文献５は、封筒の封緘用舌片に往信時の封緘用のりしろ（４）と返信時の封緘用のりしろ（６）を設けて、舌片による封緘を２回出来るようにしているものの、２帯の封緘用のりしろを平行に配する必要があることから、舌片の面積をかなり広くしなければならない問題がある。また封筒の同じ表面（１）を使って往信用宛名と返信用宛名を表示する必要があるため、封筒の表面（１）を透明シートとしなければならない問題や、往信差出人及び返信差出人の記載のスペースの確保と混同防止がうまくできないという問題がある。
上記特許文献６は、往信用宛名を封筒の表表面、返信用宛名を裏表面に表示するようにした往復封筒であるが、返信面において、返信用宛名を表示する領域よりも上の位置に、往信時の封のノリ面（２）と返信用の封のノリ面（５）を２帯平行に設けているため、封筒の封緘用舌片の面積をかなり広くしなければならない問題がある。しかも返信面における返信宛名表示や切手貼付用のスペースが往信の際にも全く遮蔽された状態にならないので、予め返信用の切手や宛名等を記載すると往信か返信かの区別が非常につけ難く、間違って消印がなされるという問題がある。【０００５】
そこで本発明は上記従来技術の問題を解消し、封筒の表表面と裏表面を用いて往信用と返信用の宛名を余裕をもって記載することができ、また封緘片をあまり大きくすることなく往信と返信とにおける封緘ができ、また往信や返信の宛名書き等の記載が紛らわしくなるのを防止し、また切手等に対する消印のミスが生じないようにすることができる往復封筒の提供を課題とする。
【課題を解決するための手段】
【０００６】
上記課題を達成するため本発明の往復封筒は、封筒本体に郵送する内容物を差し入れるための開口部を備えると共に該開口部の位置で折り曲げて封筒本体を封緘するための封緘片を備えた往復封筒であって、
前記封筒本体には、その表表面に少なくとも往信用切手貼付領域と往信用受取人宛名書領域とを設けると共に、裏表面には少なくとも返信用切手貼付領域と返信用受取人宛名書領域とを設け、
且つ前記封緘片と封筒本体の裏表面とを接着するための糊シロ領域を、裏表面の開口部近傍の空白領域、若しくは該空白領域に対応する封緘片の空白領域、若しくはその両方の空白領域に構成し、よって前記糊シロ領域から外れた封緘片の末端側の部分を、裏表面から表表面への再折返しを行う返信用封緘片として構成することを第１の特徴としている。
また本発明の往復封筒は、上記第１の特徴に加えて、封緘片は、封筒本体の表表面に開口部に延長して設けると共に、その封緘片の延長長さを、該封緘片が裏表面側に折り曲げられた際に、少なくとも返信用切手貼付領域の一部を覆うことができる長さとしてあることを第２の特徴としている。
また本発明の往復封筒は、上記第１の特徴又は第２の特徴に加えて、封筒本体の開口部若しくはそれより上の位置に封緘片の折曲線を設け、該折曲線を挟む両側若しくは片側の近傍に、前記糊シロ領域で封緘される封筒本体を開封する位置を示す封切線表示を設けてあることを第３の特徴としている。
また本発明の往復封筒は、上記第１〜第３の何れかの特徴に加えて、往信用と返信用の各切手貼付領域は、その領域を枠で囲って表示する切手貼付枠表示として、封筒本体の表表面及び裏表面の開口部に近い上部の肩部に設けていることを第４の特徴としている。
また本発明の往復封筒は、上記第１〜第４の何れかの特徴に加えて、郵便番号枠表示を、封筒本体の表表面及び裏表面の開口部に近い上部の切手貼付領域の側方に設けていることを第５の特徴としている。
また本発明の往復封筒は、上記第１〜第５の何れかの特徴に加えて、切手貼付領域は、代わりに切手と同等の料金要件を満たす郵便マークを表示する郵便マーク表示領域であることを第６の特徴としている。
また本発明の往復封筒は、上記第１〜第６の何れかの特徴に加えて、封緘片の裏表面の前記糊シロ領域から外れた末端側の部分は、少なくともその一部が、封筒本体の裏表面と剥離可能で且つ再接着不能に仮接着されるように構成されていることを第７の特徴としている。
【発明の効果】
【０００７】
請求項１に記載の往復封筒によれば、封筒本体の表表面に少なくとも往信用切手貼付領域と往信用受取人宛名書領域を設け、裏表面にも少なくとも返信用切手貼付領域と返信用受取人宛名書領域を設けているので、往信時には表表面の切手貼付領域に切手を貼り、表表面の受取人宛名書領域に受取人の宛名を記載すればよく、また返信時には裏表面の切手貼付領域に切手を貼り、裏表面の受取人宛名書領域に受取人の宛名を記載すればよいので、往信時用と返信時用の各切手の貼付や宛名書きを、封筒本体の表表面と裏表面とを用いて、別々に十分なスペースをもって、混同することなく、判り易く記載することができる。
また封筒本体の表表面と裏表面に、それぞれ往信用受取人宛名書領域と返信用受取人宛名書領域を設けているので、往信の際において表表面の宛名書きに加えて裏表面の宛名書きも予め印刷等の記載をしておくことが出来る。
また前記封緘片と封筒本体の裏表面とを接着するための糊シロ領域を、裏表面の開口部近傍の空白領域、若しくは該空白領域に対応する封緘片の空白領域、若しくはその両方の空白領域に構成し、よって前記糊シロ領域から外れた封緘片の末端側の部分を、裏表面から表表面への再折返しを行う返信用封緘片として構成するようにしたので、
糊シロ領域を開口部近傍の空白領域とすることで、糊シロ領域を開口部に近い領域に限定することが可能となり、糊シロ領域が開口部から離れて存在することによる封緘片の面積の増大を最小限に抑えることができる。特に、糊が付けられる糊シロ領域を開口部近くの空白領域としているので、それより末端側の封緘片部分を長く、広くとることができ、これを返信用封緘片とすることで、返信時の封緘を十分な寸法的余裕をもって行うことができる。【０００８】
請求項２に記載の往復封筒によれば、上記請求項１に記載の構成による作用効果に加えて、封緘片は、封筒本体の表表面に開口部に延長して設けると共に、その封緘片の延長長さを、該封緘片が裏表面側に折り曲げられた際に、少なくとも返信用切手貼付領域の一部を覆うことができる長さとしたので、
往信の際に郵便局等で消印できるのは表表面に貼られた切手のみとなり、裏表面に予め貼られた切手等があっても、少なくともその切手等の一部は確実に覆われた状態となるので、それが誤って往信の際に消印されてしまうといった混乱、不都合を確実に防止することができる。【０００９】
また請求項３に記載の往復封筒によれば、上記請求項１に記載の構成による作用効果に加えて、封筒本体の開口部若しくはそれより上の位置に封緘片の折曲線を設け、該折曲線を挟む両側若しくは片側の近傍に、前記糊シロ領域で封緘される封筒本体を開封する位置を示す封切線表示を設けてあるので、
封切線に沿って封筒を切断することで往信を開封することができる。そして前記封切線で封を切っても、封筒本体の裏表面では前記封切線の後方部分での接着状態が残ると共に、封緘片の末端側での非接着状態、即ちフリーの状態が残ることとなり、返信用封緘片としての構成を容易に得ることができる。【００１０】
また請求項４に記載の往復封筒によれば、上記請求項１〜３の何れかに記載の構成による作用効果に加えて、往信用と返信用の各切手貼付領域は、その領域を枠で囲って表示する切手貼付枠表示として、封筒本体の表表面及び裏表面の開口部に近い上部の肩部に設けているので、
往信者は往信の際に、封筒本体の表表面の切手貼付枠表示の位置に往信用切手を貼るのみならず、裏表面の切手貼付枠表示の位置にも返信者のために予め返信用の切手を貼っておくことができる。そして返信用の切手はその枠表示にしたがって貼りやすく、且つ封筒本体の裏表面の開口部に近い上部に貼られることになるので、往信の際には裏表面へ折り返された封緘片により、少なくとも前記予め貼られた返信用の切手の一部を容易に、確実に覆い隠すことができる。よって往信に際して、裏表面に貼られた返信用切手が間違って消印されてしまうといった不都合が防止される。また返信に際しては、封筒本体の裏表面に構成される返信用封緘片を再度表表面へ折り返すことで、表表面の開口部に近い上部の肩部近傍に貼り付けられた往信時の切手を確実に覆い隠すことが可能となる。【００１１】
また請求項５に記載の往復封筒によれば、上記請求項１〜４の何れかに記載の構成による作用効果に加えて、郵便番号枠表示を、封筒本体の表表面及び裏表面の開口部に近い上部の切手貼付領域の横に設けているので、
郵便番号枠にしたがって、往信の際に、往信用の郵便番号を記載することができるのみならず返信用の郵便番号も予め記載しておくことができ、返信者の便宜を図ることができる。また往信の際には、裏表面に予め貼られた返信用の切手の他、返信用の郵便番号も封緘片で覆っておくことができ、往信の際の誤消印や誤配達をより確実に防止することができる。【００１２】
また請求項６に記載の往復封筒によれば、上記請求項１〜５の何れかに記載の構成による作用効果に加えて、切手貼付領域は、代わりに切手と同等の料金要件を満たす郵便マークを表示する郵便マーク表示領域であることにより、
切手を貼るのと同等の料金要件を満たす料金別納郵便や料金後納郵便等の郵便マークを用いた往復封筒も提供することができる。【００１３】
また請求項７に記載の往復封筒によれば、上記請求項１〜６の何れかに記載の構成による作用効果に加えて、封緘片の裏表面の前記糊シロ領域から外れた末端側の部分は、少なくともその一部が、封筒本体の裏表面と剥離可能で且つ再接着不能に仮接着されるように構成されていることにより、
往信の際に封緘片を封筒本体と糊シロ領域で接着したときに、封緘片の前記糊シロ領域から外れた末端側の部分である返信用封緘片部分が、封筒本体からフリーに離れて、邪魔となったり、折れ曲がったりするのを無くすことができる。また返信に際しては、仮接着の部分を剥離することで、その後は再接着が不本意に行われることなく、返信用封緘片の封緘を行うことができる。
【図面の簡単な説明】
【００１４】
【図１】本発明の実施形態に係る往復封筒の表表面を示す図である。
【図２】本発明の実施形態に係る往復封筒の裏表面を示す図である。
【図３】本発明の実施形態に係る往復封筒を往信用に封緘した状態の表表面を示す図である。
【図４】本発明の実施形態に係る往復封筒を往信用に封緘した状態の裏表面を示す図である。
【図５】本発明の実施形態に係る往復封筒による往信を開封した状態の裏表面を示す図である。
【図６】本発明の実施形態に係る往復封筒を返信用に封緘した状態の裏表面を示す図である。
【図７】本発明の実施形態に係る往復封筒を返信用に封緘した状態の表表面を示す図である。
【発明を実施するための形態】
【００１５】
先ず図１、２を参照して、本発明実施形態に係る往復封筒の全体構成を説明する。
往復封筒は、封筒本体１００と封緘片２００とからなる。この実施形態で示す往復封筒では、その形状を縦長の封筒としている。
前記封筒本体１００は、図１に示す表表面１１０と、図２に示す裏表面１２０とを有する。同様に封緘片２００も図１に示す表表面２１０と、図２に示す裏表面２２０とを有する。
封筒本体１００には、郵送する内容物を差し入れるための開口部１０１が設けられている。
前記封緘片２００は、封筒本体１００の表表面１１０において前記開口部１０１から更に延長した形で設けられている。
【００１６】
前記封筒本体１００の表表面１１０には、往信用切手貼付領域１１１ａが設けられている。この往信用切手貼付領域１１１ａは、開口部１０１に近い表表面１１０の上部の左肩部に設けられている。
往信用切手貼付領域１１１ａは、実際には往信用切手貼付枠表示１１１の枠によって囲んで表示しており、枠で囲むことで往信用切手を貼り付ける位置を明確に示すようにしている。
また封筒本体１００の表表面１１０には、往信用受取人宛名書領域１１２ａが設けられている。往信用受取人宛名書領域１１２ａは、往信の際の受取人の住所、氏名等を書く欄である。この領域は表表面１１０の中央部付近のやや上の位置に設けられている。
往信用受取人宛名書領域１１２ａもまた、実際に往信用受取人宛名書枠表示１１２の枠によって囲んで表示しており、枠で囲むことで、往信用の受取人の宛名書きの位置を明確に示すようにしている。
【００１７】
封筒本体１００の開口部１０１に近い表表面１１０の上部の往信用切手貼付領域１１１ａ（返信用切手貼付枠表示１１１）の側方、右肩よりに往信用郵便番号枠表示１１３が配置されている。この往信用郵便番号枠表示１１３の位置は、前記往信用切手貼付枠表示１１１の上縁と同レベルの位置とされている。
また封筒本体１００の表表面１１０の前記往信用切手貼付枠表示１１１の横で、前記往信用郵便番号枠表示１１３の下、且つ封筒本体１００の左右の中央付近に、この封筒が往復封筒である旨の往復封筒表示１１４を配置している。
更に前記往復封筒表示１１４の下に開封注意事項表示１１５、更にその下に受取人表示１１６を配置している。
前記受取人表示１１６は前記往信用受取人宛名書枠表示１１２の上の位置となり、その受取人表示１１６の下に書かれた宛名が受取人の宛名であることが判るようにしている。
前記封筒本体１００の表表面１１０の上部の左肩部に設けられる往信用切手貼付枠表示１１１の下方で、前記往信用受取人宛名書枠表示１１２の左方位置に、この表表面１１０が往信用の面であることを明示するための往信表示１１７が設けられている。
また封筒本体１００の表表面１１０の下半部に、この封筒の使用方法を説明する使用方法説明表示１１８が配置されている。
【００１８】
前記往信用切手貼付枠表示１１１及び往信用郵便番号枠表示１１３より更に上位の位置の表表面１１０に、封切線表示１１９を、横線と封切線の文字によって、配置している。そしてこの封切線表示１１９の直ぐ下の位置に、封切線注意事項表示１１９ａを配置している。
前記封切線表示１１９の位置は、封緘片２００の折曲線となる折曲線表示２１１の直ぐ下の近傍にある。
【００１９】
封緘片２００には、その表表面２１０の上端付近に差出人表示２１２が逆さ文字で配置されている。
また封緘片２００の表表面２１０の前記折曲線表示２１１の直ぐ上の近傍に、横線と逆さ文字で書かれた封切線とからなる封切線表示２１９が配置されている。そしてこの封切線表示２１９の直ぐ上の位置に、逆さ文字からなる封切線注意事項表示２１９ａが配置されている。
封緘片２００の前記封切線表示２１９は上記封筒本体１００の封切線表示１１９と対応し、前記折曲線表示２１１である折曲線の上下の近傍に等距離で配置されている。即ち、一対の封切線表示２１９、１１９は、封緘片２００の開口位置及び折曲げ位置を示す折曲線表示２１１を挟む両側の近傍に等距離で配置されている。
封緘片２００の前記封切線注意事項表示２１９ａは上記封筒本体１００の封切注意事項表示１１９ａと対応する。
前記差出人表示２１２、封切線表示２１９、封切線注意事項表示２１９ａの逆さ文字は、封緘片２００が折曲線表示２１１の折曲線に沿って封筒本体１００の裏表面１２０側に折り曲げられることで、正常な向きとなる。
【００２０】
図２を参照して、封筒本体１００の裏表面１２０と封緘片２００の裏表面２２０を説明する。
前記封筒本体１００の裏表面１２０には、返信用切手貼付領域１２１ａが設けられている。この返信用切手貼付領域１２１ａは、開口部１０１に近い裏表面１２０の上部の左肩部に設けられている。
返信用切手貼付領域１２１ａは、返信用切手貼付枠表示１２１の枠によって囲んで表示しており、枠で囲むことで返信用切手を貼り付ける位置を明確に示すようにしている。
また封筒本体１００の裏表面１２０には、返信用受取人宛名書領域１２２ａが設けられている。返信用受取人宛名書領域１２２ａは、返信の際の受取人の住所、氏名等を書く欄である。この領域は裏表面１２０の中央部付近のやや上の位置に設けられている。
返信用受取人宛名書領域１２２ａもまた、実際に返信用受取人宛名書枠表示１２２の枠によって囲んで表示しており、枠で囲むことで、返信用の受取人の宛名書きの位置を明確に示すようにしている。
【００２１】
封筒本体１００の開口部１０１に近い裏表面１２０の上部の前記返信用切手貼付領域１２１ａ（返信用切手貼付枠表示１２１）の側方、右肩よりに返信用郵便番号枠表示１２３が配置されている。この返信用郵便番号枠表示１２３の位置は、前記返信用切手貼付枠表示１２１の上縁と同レベルの位置とされている。
また封筒本体１００の裏表面１２０の前記受取人表示１２６は、前記返信用受取人宛名書枠表示１２２の上の位置となり、書かれた宛名が受取人の宛名であることが判るようにしている。
封筒本体１００の裏表面１２０の上部の左肩部に設けられる返信用切手貼付枠表示１２１の下方で、前記返信用受取人宛名書枠表示１２２の左方位置に、この裏表面１２０が返信用の面であることを明示するための返信表示１２７が設けられている。
封筒本体１００の裏表面１２０の下半部に、この封筒の使用方法を説明する使用方法説明表示１２８が配置されている。
なお、封筒本体１００の裏表面１２０における領域１２１ａ、表示１２１、１２３の配置位置は、それぞれ表表面１１０における領域１１１ａ、表示１１１、１１３の配置位置よりも、少し低い位置となる。低くなる程度は、前記開口部１０１から封切線表示１１９（２１９）までの距離にほぼ相当する。
【００２２】
本実施形態では、封筒本体１００の裏表面１２０の前記開口部１０１の直ぐ下の領域に糊シロ領域１２９を設けている。
この糊シロ領域１２９は、図２に示すように、例えば剥離紙１２９ａで被覆された状態で提供される。剥離紙１２９ａは往信用の封緘の際に剥がすことになる。
糊シロ領域１２９は、裏表面１２０の開口部１０１近傍の空白領域Ｓ１に構成される。
勿論、糊シロ領域１２９は、前記空白領域Ｓ１と対応する封緘片２００の空白領域Ｓ２に構成してもよい。また両方の空白領域Ｓ１、Ｓ２を糊シロ領域とすることも可能である。
前記裏表面１２０の空白領域Ｓ１は、開口部１０１から、その下にある返信用切手表示枠表示１２１や返信用郵便番号枠表示１２３等の返信に必要な事項を記載する領域に至る手前までの、空いた領域である。この領域Ｓ１の一部に帯状の糊シロ領域１２９を設ける。この実施形態では、開口部１０１から空白領域Ｓ１の途中の位置までの領域を糊シロ領域１２９としている。このように糊シロ領域１２９を空白領域Ｓ１に構成することで、封緘片２００による封緘がなされても、裏表面１２０側の返信用切手貼付枠表示１２１や返信用郵便番号枠表示１２３等の返信に必要な表示部分が使用不能となるのを防止すると共に、糊シロ領域１２９から外れた封緘片２００の末端側の部分で、返信用切手貼付枠表示１２１（返信用切手貼付領域１２１ａ）に貼られた切手や返信用郵便番号枠表示１２３に記載された郵便番号を、非接着状態で覆い隠すことができる。また隠すことができることにより、往信の際に間違って返信面に消印がなされたり、返信面に示された郵便番号の方に送られたりするのを確実に防止することができる。
【００２３】
前記糊シロ領域１２９と封切線表示１１９、２１９との寸法関係は、開口部１０１から糊シロ領域１２９の下端までの距離が、開口部１０１から封切線表示１１９、２１９までの距離よりも長くなるようにしている。このような寸法関係とすることで、封切線表示１１９、２１９の位置で切断、開封されたときに、糊シロ領域１２９のうち切り取られなかった残りの糊シロ領域１２９の部分で封緘片２００の接着が残るようにすることができる。
【００２４】
前記封筒本体１００の裏表面１２０の糊シロ領域１２９は、代わりに封緘片２００の裏表面２２０における、前記空白領域Ｓ１に対応する空白領域Ｓ２に構成して設けてもよい。また両方の空白領域Ｓ１、Ｓ２に設けることも可能である。
封緘片２００の裏表面２２０の上端近くには、逆さ文字による差出人表示２２２が逆さ文字で配置されている。
【００２５】
次に、図３〜図７も参照して、往信と返信の仕方を説明することで、更に本発明の往復封筒を説明する。
先ず往信者は、図１に示す往復封筒の表表面１１０を用いて、図３に示すように、往信用受取人宛名書枠表示１１２の中の往信用受取人宛名書領域１１２ａに受取人の住所、氏名（東京都・・・特許太郎  様）を記載し、往信用郵便番号枠表示１１３内に受取人の郵便番号（１００−００１３）を記入し、往信用切手貼付枠表示１１１内の往信用切手貼付領域１１１ａに切手を貼る。これによって表表面１１０の作業が完了する。
往信者は、封緘片２００を開口部１０１の折曲線表示２１１の位置で裏表面１２０に折り曲げ、糊シロ領域１２９の剥離紙１２９ａを剥がして封緘片２００を裏面に貼ることで、投函の準備が整う。
【００２６】
図２、図４を参照して、往信者は、封緘片２００で封緘を行うのに先立って、返信者の切手代や返信作業を軽減するため、裏表面１２０の返信用切手貼付枠１２１内の返信用切手貼付領域１２１ａに、返信者に代わって切手を予め貼っておくことができる。また予め返信用受取人宛名書枠表示１２２の中の返信用受取人宛名書領域１２２ａに、往信者の住所、氏名を予め記載（神戸市・・・神戸花子）し、返信用郵便番号枠表示１２３内に往信者の郵便番号（６５０−０００１）を記入しておくことができる。
このように返信者に代わって、裏表面１２０に往信者が予め切手や郵便番号、宛名を記入しても、裏表面１２０に前記糊シロ領域１２９で接着される封緘片２００により、返信用切手貼付枠表示１２１内に貼られた切手や、返信用郵便番号枠表示１２３内に記載された郵便番号が隠されるので、返信用の切手が間違って消印されることがなく、また裏表面の返信者の宛名に郵便が送られるといったミスが防止される。
【００２７】
勿論、往信時における往復封筒の裏表面１２０には、図４に示すように、返信表示１２７が表示されている他、封緘片２００が折り曲げられ、封緘されることにより、受取人表示１２６が覆われて隠されると共に、封緘片２００の差出人表示２１２が裏表面１２０に移動してきて、返信用受取人宛名書枠表示１２２の直ぐ上位の位置に正常な姿勢で配置される。このため往信時における封筒本体１００の裏表面１２０には、差出人（往信者）の記載がなされているものとして理解されることになり、誤解の発生を防ぐことができる。
【００２８】
図４、図５を参照して、往信を受け取った者（返信人）は、封切線表示１１９、２１９に従って切断することで、簡単に開封することができる。このとき封切線表示１１９、２１９の位置での切断線に対して、該切断線から下の一定の範囲には前記糊シロ領域１２９が残存し、封緘片２００の接着が残存する。
即ち封緘片２００は、裏表面１２０の切断線から下の糊シロ領域１２９で接着状態にされると共に、それより末端側の部分は、非接着状態で残ることになる。よって、この末端側の非接着部分を返信用封緘片２０１として構成することができる。
この返信用封緘片２０１は、裏表面１２０から表表面１１０に再折り返しされることで、返信時の封緘の役割を担うことになる。
また返信用封緘片２０１の長さは、それが封筒本体１００の表表面１１０に再折り返しされた際に、往信用切手貼付枠表示１１１（往信用切手貼付領域１１１ａ）内の位置に貼られた切手や、往信用郵便番号枠表示１１３、受取人表示１１６が覆われて隠れる寸法となるようにするのが好ましい。ただし、封緘片２００の長さ（寸法）を、往信の際に裏表面１２０の返信用切手貼付枠表示１２１や返信用郵便番号枠表示１２３、受取人表示１２６が隠れる長さ（寸法）に構成しておけば、返信の際には、返信用封緘片２０１の寸法による前記表表面の覆い隠し領域も適正な領域となるように、予め表表面１１０と裏表面１２０の表示関係が調整して構成される。
【００２９】
図５〜図７を参照して、往信を受け取った受取人が返信者となって返信をする場合は、裏表面１２０の返信用封緘片２０１を表表面１１０に折り曲げ、裏表面１２０の返信用切手貼付枠表示１２１（返信用切手貼付領域１２１ａ）、返信用郵便番号枠表示１２３、受取人表示１２６を出現させる。
そしてそれらの裏表面１２０の返信用切手貼付枠表示１２１（返信用切手貼付領域１２１ａ）の位置に切手を貼り、返信用郵便番号枠表示１２３の位置に郵便番号を記載する。この場合において、往信者により既に切手が貼られ、郵便番号が記載されているときは、それらに要する費用や作業を省略できる。
なお、返信用受取人宛名書枠表示１２２内の返信用受取人宛名書領域１２２ａには、往信の際に往信者が自己の住所、氏名を差出人として記載しているのが普通であるので、通常は返信者による宛名書き作業は不要となる。ただし、既に記載されている、宛名に様や殿等の敬称を付加したり、削除・訂正したりする作業は必要に応じて行うことになる。
【００３０】
返信者が必要な返信内容物を封筒本体１００に入れ、再折り返しした返信用封緘片２０１を表表面で糊付けすることで、返信用封筒の投函準備が整う。
このとき表表面１１０では、往信用切手貼付枠表示１１１（往信用切手貼付領域１１１ａ）部分の消印済み切手、往信用郵便番号枠表示１１３部分の往信用の郵便番号、往復封筒表示１１４、開封注意事項表示１１５、受取人表示１１６が返信用封緘片２０１により覆われて隠されると共に、封緘片２００の裏面２２０の差出人表示２２２が往信用受取人宛名書枠表示１１２の直ぐ上位の位置に正常な姿勢で配置される。このため返信時における表表面１１０は差出人の記載がなされているものとして理解されることになり、誤解の発生を防ぐことができる。
【００３１】
なお上記において、往信用切手貼付枠表示１１１内の往信用切手貼付領域１１１ａは、代わりに切手と同等の料金要件を満たす郵便マークを表示する郵便マーク表示領域とすることができる。同様に返信用切手貼付枠表示１２１内の返信用切手貼付領域１２１ａも、代わりに切手と同等の料金要件を満たす郵便マークを表示する郵便マーク表示領域とすることができる。
【００３２】
また上記往信時において、封緘片２００は封筒本体１００と糊しろ領域１２９のみで接着され、糊しろ領域１２９から外れた末端側の部分が封筒本体１００に対してフリーな状態となる。封緘片２００の末端側の部分がフリーな状態になると、その部分が邪魔となったり、折れ曲がったりするなど、あまり好ましくない。
従って往信時においても、前記封緘片２００の末端側の部分がフリーにならないようにするのが好ましい。このため本発明では、往信時に前記封緘片２００の末端側の部分が封筒本体１００の裏表面１２０に仮接着できるように構成しておくことができる。
前記仮接着とは、剥離可能で且つ再接着不能に接着されるという意味である。
仮接着は、封緘片２００の裏表面２２０の糊しろ領域から外れた末端側の部分の少なくとも一部、又は封緘片２００の前記末端側の部分に対応する封筒本体１００の裏表面１２０の部分の少なくとも一部、或いはその両方に、前記剥離可能で且つ再接着不能の仮接着剤を予め塗布すると共に、その上を剥離紙で被覆した状態に施しておくことで、往信時の封緘の際に行うことができる。
なお仮接着用に用いる剥離紙は、往信時の封緘における糊しろ領域１２９に用いる剥離紙と組み合わせた１枚の剥離紙とすることができる。
【符号の説明】
【００３３】
１００      封筒本体
１０１      開口部
１１１      往信用切手貼付枠表示
１１１ａ    往信用切手貼付領域
１１２      往信用受取人宛名書枠表示
１１２ａ    往信用受取人宛名書領域
１１３      往信用郵便番号枠表示
１１４      往復封筒表示
１１５      開封注意事項表示
１１６      受取人表示
１１７      往信表示
１１８      使用方法説明表示
１１９      封切線表示
１１９ａ    封切線注意事項表示
１２０      裏表面
１２１      返信用切手貼付枠表示
１２１ａ    返信用切手貼付領域
１２２      返信用受取人宛名書枠表示
１２２ａ    返信用受取人宛名書領域
１２３      返信用郵便番号枠表示
１２６      受取人表示
１２７      返信表示
１２８      使用方法説明表示
１２９      糊シロ領域
１２９ａ    剥離紙
２００      封緘片
２０１      返信用封緘片
２１０      表表面
２１１      折曲線表示
２１２      差出人表示
２１９      封切線表示
２１９ａ    封切線注意事項表示
２２０      裏表面
２２２      差出人表示
Ｓ１        空白領域
Ｓ２        空白領域
【図１】
0005596871.tif 000002
【図２】
0005596871.tif 000003
【図３】
0005596871.tif 000004
【図４】
0005596871.tif 000005
【図５】
0005596871.tif 000006
【図６】
0005596871.tif 000007
【図７】
0005596871.tif 000008